(57)【要約】【課題】基板ケースが不正な方法で分離された場合には、その事実を容易に発見できるようにし、制御基板に対する不正行為を効果的に防止する。【解決手段】ブラケット１４０は、丸形締結部材１７０と嵌まり合うブラケット開口部１４９を有し、正面ケース１６０は、連結部１６８によって正面ケース１６０に支持されるとともに丸形締結部材１７０と嵌まり合う正面開口部１６６を有しており、ブラケット開口部１４９と丸形締結部材１７０とが嵌まり合い、正面開口部１６６と丸形締結部材１７０とが嵌まり合うことにより、正面ケース１６０とブラケット１４０とが離脱不能に締結されて締結状態となるとともに、連結部１６８は、正面ケース１６０の締結方向と直交する方向に凹む破断ガイド１６８ａを備え、破断ガイド１６８ａで連結部１６８を破断させることにより、正面ケース１６０とブラケット１４０とが分離可能となる。【選択図】図４
2008220472.tif 000002
【特許請求の範囲】
【請求項１】
筐体内の背面側に位置して遊技機の制御基板を収容する背面ケースと、
前記背面ケースの正面側に装着する正面ケースと、
前記正面ケースと前記背面ケースとの間を離脱不能に締結する締結部材と
を備える遊技機の基板ケースであって、
前記背面ケースは、前記締結部材と嵌まり合う背面開口部を有し、
前記正面ケースは、連結部によって前記正面ケースに支持されるとともに前記締結部材と嵌まり合う正面開口部を有しており、
前記背面ケースの前記背面開口部と前記締結部材とが嵌まり合い、前記正面ケースの前記正面開口部と前記締結部材とが嵌まり合うことにより、前記背面ケースと前記正面ケースとが離脱不能に締結されて締結状態となるとともに、
前記連結部は、前記正面ケースの締結方向と直交する方向に凹む破断ガイドを備え、前記破断ガイドで前記連結部を破断させることにより、前記正面ケースと前記背面ケースとが分離可能となる
ことを特徴とする遊技機の基板ケース。
【請求項２】
請求項１に記載の遊技機の基板ケースにおいて、
前記背面ケースの前記背面開口部は、前記締結部材との背面嵌合凹部を有し、
前記正面ケースの前記正面開口部は、前記締結部材との正面嵌合凹部を有しており、
前記締結部材は、前記背面開口部内で前記背面嵌合凹部と嵌まり合うとともに、前記正面開口部内で前記正面嵌合凹部と嵌まり合う、弾性変形可能な一対の締結凸部を有する
ことを特徴とする遊技機の基板ケース。
【請求項３】
筐体内の背面側に固定されるブラケットと、
前記ブラケットの正面側に位置して遊技機の制御基板を収容する背面ケースと、
前記背面ケースの正面側に装着する正面ケースと、
前記背面ケースが装着された前記正面ケースと前記ブラケットとの間を離脱不能に締結する締結部材と
を備える遊技機の基板ケースであって、
前記ブラケットは、前記締結部材と嵌まり合うブラケット開口部を有し、
前記正面ケースは、連結部によって前記正面ケースに支持されるとともに前記締結部材と嵌まり合う正面開口部を有しており、
前記ブラケットの前記ブラケット開口部と前記締結部材とが嵌まり合い、前記正面ケースの前記正面開口部と前記締結部材とが嵌まり合うことにより、前記正面ケースと前記ブラケットとが離脱不能に締結されて締結状態となるとともに、
前記連結部は、前記正面ケースの締結方向と直交する方向に凹む破断ガイドを備え、前記破断ガイドで前記連結部を破断させることにより、前記正面ケースと前記ブラケットとが分離可能となる
ことを特徴とする遊技機の基板ケース。
【請求項４】
請求項３に記載の遊技機の基板ケースにおいて、
前記ブラケットの前記ブラケット開口部は、前記締結部材とのブラケット嵌合凹部を有し、
前記正面ケースの前記正面開口部は、前記締結部材との正面嵌合凹部を有しており、
前記締結部材は、前記ブラケット開口部内で前記ブラケット嵌合凹部と嵌まり合うとともに、前記正面開口部内で前記正面嵌合凹部と嵌まり合う弾性変形可能な一対の締結凸部を有する
ことを特徴とする遊技機の基板ケース。
【請求項５】
請求項１から請求項４までのいずれか１項に記載の遊技機の基板ケースにおいて、
前記正面ケースの前記連結部は、正面視の外形がＸ字状であり、Ｘ字状の中央部が前記破断ガイドとなっている
ことを特徴とする遊技機の基板ケース。
【請求項６】
請求項１から請求項５までのいずれか１項に記載の遊技機の基板ケースにおいて、
前記遊技機は、スロットマシンであり、
前記制御基板は、役の抽選を含む遊技の進行を制御する
ことを特徴とする遊技機の基板ケース。
【請求項７】
請求項１から請求項５までのいずれか１項に記載の遊技機の基板ケースにおいて、
前記遊技機は、弾球遊技機であり、
前記制御基板は、抽選を含む遊技の進行を制御する
ことを特徴とする遊技機の基板ケース。
【発明の詳細な説明】
【技術分野】
【０００１】
本発明は、遊技機の制御基板を収容する背面ケースと、その正面側に装着する正面ケースとを、締結部材によって離脱不能に締結する遊技機の基板ケースに係るものであり、詳しくは、背面ケースから正面ケースが不正な方法で分離された場合に、その事実を容易に発見できるようにすることにより、制御基板に対する不正行為を効果的に防止できるようにした技術に関するものである。
【背景技術】
【０００２】
スロットマシンや弾球遊技機等の遊技機において、入賞役の抽選や図柄の表示制御等の出玉に関する制御は、メイン制御基板と呼ばれる制御基板によって行われている。また、近年の遊技機では、メイン制御基板以外にも、出玉に関する実質的な制御を行うサブ制御基板と呼ばれる制御基板が設けられている場合もある。
【０００３】
ここで、メイン制御基板等の制御基板は、遊技機の筐体を構成し、前面側が開口する箱形の基体部の背面側に取り付けられている。そのため、基体部の開口を覆う開閉自在のフロントマスク部を開けた際に、制御基板がそのまま外部に露出した状態であると、制御基板に対する不正な操作が簡単にできることとなり、適正でない遊技が実行されてしまう。すなわち、メイン制御基板やサブ制御基板の電子部品（制御プログラムを記憶したＲＯＭ等）を正規品以外の不正なものと交換したり、メイン制御基板又はサブ制御基板の入出力信号等に対して外部から不正な信号を付与等することにより、本来の遊技と異なる適正でない遊技が実行された場合には、遊技店等で大きな被害が出ることとなる。
【０００４】
そこで、メイン制御基板に実装されたＲＯＭの交換といった不正行為を防止するため、背面ケースと正面ケースとからなる基板ケースの内部にメイン制御基板を収容し、背面ケースに装着した正面ケースを容易に開放できないように、不正開放防止手段を設けるようにした技術が知られている。すなわち、不正開放防止手段を設けた遊技機の基板ケースにメイン制御基板を収容してメイン制御基板アセンブリとし、このメイン制御基板アセンブリを基体部内に取り付けることにより、基板ケース内のメイン制御基板に対する不正行為を防止できるようにした技術である。
【０００５】
このような不正開放防止手段を備えるメイン制御基板アセンブリとしては、例えば、基板ケースを構成する背面ケースと正面ケースとを締結部材によって離脱不能に締結できるようにしたものがある。具体的には、背面ケース及び正面ケースに、互いに対向する一対の開口部を設け、この開口部内に締結部材を挿入すると、締結部材の両端側に形成された各締結凸部が背面ケース及び正面ケースのそれぞれの開口部内に形成された嵌合凹部と嵌まり合い、背面ケースと正面ケースとが離脱不能となる、いわゆる「カシメ」と呼ばれる不正開放防止手段を用いた基板ケースが知られている（例えば、特許文献１参照）。
【特許文献１】特開２００４−２０９２３８号公報
【０００６】
図９は、このような上記の特許文献１に開示された従来の遊技機の基板ケース２３０を用いたメイン制御基板アセンブリを示す斜視図である。
図９に示すように、基板ケース２３０は、メイン制御基板（図示せず）を収容する透明樹脂からなる背面ケース２５０と、背面ケース２５０に装着される透明樹脂からなる正面ケース２６０とを備えている。そして、この基板ケース２３０は、一対のブラケット２４０によって遊技機の基体部（図示せず）の背面側に取り付けられる。
【０００７】
図１０は、従来の遊技機の基板ケース２３０を用いたメイン制御基板アセンブリを示す分解斜視図である。
図１０に示すように、基板ケース２３０は、正面ケース２６０と背面ケース２５０との間を離脱不能に締結する締結部材２７０ａを備えている。すなわち、基板ケース２３０は、正面ケース２６０と背面ケース２５０とが締結部材２７０ａによって離脱不能に締結されるようになっている。
【０００８】
そして、メイン制御基板２１０を収容した基板ケース２３０（正面ケース２６０及び背面ケース２５０）と、遊技機の基体部（図示せず）の背面側に取り付けられる一対のブラケット２４０とにより、メイン制御基板アセンブリが構成される。なお、図１０に示すメイン制御基板アセンブリにおいては、基板ケース２３０（正面ケース２６０）とブラケット２４０との間も、正面ケース２６０と背面ケース２５０との間と同一の締結部材２７０ｂによって締結される。
【０００９】
このように、正面ケース２６０と背面ケース２５０との間は、締結部材２７０ａによって離脱不能に締結されるが、そのために、背面ケース２５０は、正面ケース２６０の装着方向に開口する有底筒状の背面開口部２５４を有している。そして、この背面開口部２５４に締結部材２７０ａが嵌まり込むようになっている。
【００１０】
一方、正面ケース２６０も、その装着方向であって、背面ケース２５０の各背面開口部２５４と対向して開口する有底筒状の正面開口部２６５を有しており、この正面開口部２６５に締結部材２７０ａが嵌まり込むようになっている。そのため、締結部材２７０ａの両端側が背面開口部２５４及び正面開口部２６５に嵌まり込むと、正面ケース２６０と背面ケース２５０とが締結部材２７０ａを介して離脱不能に締結される。なお、正面ケース２６０及び背面ケース２５０は、どちらも透明樹脂からなっているので、背面ケース２５０の内部にメイン制御基板２１０を収容し、背面ケース２５０に正面ケース２６０を締結した状態であっても、正面ケース２６０を通して内部のメイン制御基板２１０を見透かすことができる。
【００１１】
また、一対のブラケット２４０のうちの一方は、正面ケース２６０の装着方向に開口する有底筒状のブラケット開口部２４９を有しており、このブラケット開口部２４９に締結部材２７０ｂが嵌まり込むようになっている。そして、各ブラケット開口部２４９は、背面ケース２５０が干渉しない場所に配置されている。
【００１２】
一方、正面ケース２６０も、その装着方向であって、ブラケット２４０の各ブラケット開口部２４９と対向して開口する有底筒状の正面開口部２６６を有しており、この正面開口部２６６に締結部材２７０ｂが嵌まり込むようになっている。そのため、締結部材２７０ｂの両端側がブラケット開口部２４９及び正面開口部２６６に嵌まり込むと、背面ケース２５０と離脱不能に締結された状態の正面ケース２６０とブラケット２４０とが締結部材２７０ｂを介して離脱不能に締結されることとなる。
【００１３】
図１１は、図１０に示す基板ケース２３０の締結状態を示す部分正面図である。
正面ケース２６０と背面ケース２５０（図１０参照）とが締結されてしまうと、締結部材２７０ａは、図１１（ａ）に示すように、正面開口部２６５の内部に隠れることとなる。そのため、締結部材２７０ａによる正面ケース２６０と背面ケース２５０との締結状態を外部から解除することは、基本的に不可能となる。同様に、正面ケース２６０とブラケット２４０（図１０参照）とが締結されてしまうと、締結部材２７０ｂが正面開口部２６６の内部に隠れるので、正面ケース２６０とブラケット２４０との締結状態を外部から解除することもできなくなる。
【００１４】
したがって、従来の遊技機の基板ケース２３０によれば、基板ケース２３０を構成する正面ケース２６０と背面ケース２５０（図１０参照）との間にメイン制御基板２１０（図１０参照）が密閉され、基板ケース２３０がブラケット２４０（図１０参照）に離脱不能に締結されてメイン制御基板アセンブリとなるので、メイン制御基板２１０に実装されているＲＯＭを正規品以外のものに交換する等の不正行為が防止される。
【００１５】
このように、基板ケース２３０の内部にメイン制御基板２１０（図１０参照）が密閉されることとなるが、遊技店においては、メイン制御基板２１０の不正改造の有無や、その動作が法的に適合するか否かのチェックを行うために、メイン制御基板２１０の目視検査や抜取り検査が随時行われている。そして、このような場合には、基板ケース２３０からメイン制御基板２１０を取り出すこととなる。
【００１６】
ここで、メイン制御基板２１０（図１０参照）の取出しは、正面ケース２６０の正面開口部２６５の連結部２６７や、正面開口部２６６の連結部２６８をカッター等で切断することによって行う。すなわち、正面開口部２６５（正面開口部２６６）は、締結部材２７０ａ（２７０ｂ）によって離脱不能に締結されているので、正面ケース２６０を正面開口部２６５（正面開口部２６６）から分離するためには、連結部２６７（連結部２６８）を切断しなければならない。すると、連結部２６７（連結部２６８）を切断した痕跡が、正面ケース２６０の脱着の客観的証拠として残ることとなる。そのため、仮に、連結部２６７（連結部２６８）の不正な切断によって正面ケース２６０が分離された場合には、連結部２６７（連結部２６８）のあるはずのない切断痕跡により、その事実が発見できるようになる。
【発明の開示】
【発明が解決しようとする課題】
【００１７】
しかし、上記の特許文献１に開示された従来の遊技機の基板ケース２３０では、基板ケース２３０がブラケット２４０（図１０参照）から不正に分離された場合、連結部２６８の切断痕跡がきれいであると、その事実を発見することが困難であるという問題がある。すなわち、正面開口部２６６は、幅の狭い一対の連結部２６８によって正面ケース２６０に支持されているので、図１１（ｂ）に断面図で示すように、正面ケース２６０の外縁２６０ａに沿ってカッター等で丁寧に連結部２６８を切断すれば、その切断痕跡を外縁２６０ａとほぼ一直線にすることができる。
【００１８】
そして、連結部２６８の不正な切断によって基板ケース２３０（正面ケース２６０）をブラケット２４０（図１０参照）から分離すれば、連結部２６７を切断して背面ケース２５０（図１０参照）から正面ケース２６０を外さなくても、背面ケース２５０の後ろ側からメイン制御基板２１０（図１０参照）に不正を行うことが可能となる。しかも、再び基板ケース２３０（正面ケース２６０）が元の場所に戻されると、連結部２６８の切断痕跡が正面ケース２６０の外縁２６０ａと区別できなくなり、目視検査の際に、切断痕跡が看過されてしまうことがある。すると、不正の事実の発見が遅れ、遊技店の被害が拡大してしまう。なお、連結部２６７が不正に切断された場合も、その切断痕跡が正面ケース２６０の外縁２６０ａと区別できなくなることがある。
【００１９】
このように、従来の遊技機の基板ケース２３０は、一見しただけでは、基板ケース２３０（正面ケース２６０）が不正に分離され、メイン制御基板２１０（図１０参照）等の制御基板に対して不正行為が行われたか否かを判別することができない場合がある。そのため、結果的に、不正行為の横行を許すこととなる。そして、このような事態を放置することは、メイン制御基板２１０等を収容し、不正行為を未然に防止するという基板ケース２３０の本質的な機能を損なう結果となる。
【００２０】
したがって、本発明が解決しようとする課題は、基板ケースが不正な方法で分離された場合には、その事実を容易に発見できるようにし、制御基板に対する不正行為を効果的に防止することで、遊技店の被害をくい止められるようにした遊技機の基板ケースを提供することである。
【課題を解決するための手段】
【００２１】
本発明は、以下の解決手段によって上述の課題を解決する。
請求項１の発明は、筐体内の背面側に位置して遊技機の制御基板を収容する背面ケースと、前記背面ケースの正面側に装着する正面ケースと、前記正面ケースと前記背面ケースとの間を離脱不能に締結する締結部材とを備える遊技機の基板ケースであって、前記背面ケースは、前記締結部材と嵌まり合う背面開口部を有し、前記正面ケースは、連結部によって前記正面ケースに支持されるとともに前記締結部材と嵌まり合う正面開口部を有しており、前記背面ケースの前記背面開口部と前記締結部材とが嵌まり合い、前記正面ケースの前記正面開口部と前記締結部材とが嵌まり合うことにより、前記背面ケースと前記正面ケースとが離脱不能に締結されて締結状態となるとともに、前記連結部は、前記正面ケースの締結方向と直交する方向に凹む破断ガイドを備え、前記破断ガイドで前記連結部を破断させることにより、前記正面ケースと前記背面ケースとが分離可能となることを特徴とする。
【００２２】
（作用）
請求項１の発明においては、正面ケースと正面開口部との連結部に、正面ケースの締結方向と直交する方向に凹む破断ガイドを備えている。そして、破断ガイドで連結部を破断させることにより、正面ケースと背面ケースとが分離可能となる。そのため、破断ガイドに注目して目視検査を行うことにより、連結部が不正に切断されたか否か（正面ケースが背面ケースから不正に分離されたか否か）の発見が容易になる。
【００２３】
また、請求項２の発明は、請求項１に記載の遊技機の基板ケースにおいて、前記背面ケースの前記背面開口部は、前記締結部材との背面嵌合凹部を有し、前記正面ケースの前記正面開口部は、前記締結部材との正面嵌合凹部を有しており、前記締結部材は、前記背面開口部内で前記背面嵌合凹部と嵌まり合うとともに、前記正面開口部内で前記正面嵌合凹部と嵌まり合う、弾性変形可能な一対の締結凸部を有することを特徴とする。
【００２４】
（作用）
請求項２の発明においては、締結部材を背面ケースの背面開口部に挿入すれば、締結部材の締結凸部が弾性変形し、背面開口部内の背面嵌合凹部と嵌まり合う。また、正面ケースの正面開口部を締結部材に挿入すれば、締結部材の締結凸部が弾性変形し、正面開口部内の正面嵌合凹部と嵌まり合う。そのため、正面ケースと背面ケースとを容易に締結できる。
【００２５】
請求項３の発明は、筐体内の背面側に固定されるブラケットと、前記ブラケットの正面側に位置して遊技機の制御基板を収容する背面ケースと、前記背面ケースの正面側に装着する正面ケースと、前記背面ケースが装着された前記正面ケースと前記ブラケットとの間を離脱不能に締結する締結部材とを備える遊技機の基板ケースであって、前記ブラケットは、前記締結部材と嵌まり合うブラケット開口部を有し、前記正面ケースは、連結部によって前記正面ケースに支持されるとともに前記締結部材と嵌まり合う正面開口部を有しており、前記ブラケットの前記ブラケット開口部と前記締結部材とが嵌まり合い、前記正面ケースの前記正面開口部と前記締結部材とが嵌まり合うことにより、前記正面ケースと前記ブラケットとが離脱不能に締結されて締結状態となるとともに、前記連結部は、前記正面ケースの締結方向と直交する方向に凹む破断ガイドを備え、前記破断ガイドで前記連結部を破断させることにより、前記正面ケースと前記ブラケットとが分離可能となることを特徴とする。
【００２６】
（作用）
請求項３の発明においては、正面ケースと正面開口部との連結部に、正面ケースの締結方向と直交する方向に凹む破断ガイドを備えている。そして、破断ガイドで連結部を破断させることにより、正面ケースとブラケットとが分離可能となる。そのため、破断ガイドに注目して目視検査を行うことにより、連結部が不正に切断されたか否か（正面ケースがブラケットから不正に分離されたか否か）の発見が容易になる。
【００２７】
また、請求項４の発明は、請求項３に記載の遊技機の基板ケースにおいて、前記ブラケットの前記ブラケット開口部は、前記締結部材とのブラケット嵌合凹部を有し、前記正面ケースの前記正面開口部は、前記締結部材との正面嵌合凹部を有しており、前記締結部材は、前記ブラケット開口部内で前記ブラケット嵌合凹部と嵌まり合うとともに、前記正面開口部内で前記正面嵌合凹部と嵌まり合う弾性変形可能な一対の締結凸部を有することを特徴とする。
【００２８】
（作用）
請求項４の発明においては、締結部材をブラケットのブラケット開口部に挿入すれば、締結部材の締結凸部が弾性変形し、ブラケット開口部内のブラケット嵌合凹部と嵌まり合う。また、正面ケースの正面開口部を締結部材に挿入すれば、締結部材の締結凸部が弾性変形し、正面開口部内の正面嵌合凹部と嵌まり合う。そのため、正面ケースとブラケットとを容易に締結できる。
【００２９】
さらにまた、請求項５の発明は、請求項１から請求項４までのいずれか１項に記載の遊技機の基板ケースにおいて、前記正面ケースの前記連結部は、正面視の外形がＸ字状であり、Ｘ字状の中央部が前記破断ガイドとなっていることを特徴とする。
【００３０】
（作用）
請求項５の発明においては、連結部の正面視の外形がＸ字状であり、Ｘ字状の中央部が破断ガイドとなっている。そのため、連結部をカッター等で切断する際に、Ｘ字状の斜面によって刃先が自然に破断ガイド（Ｘ字状の中央部）に導かれるので、連結部の切断が容易になるだけでなく、破断ガイド以外の場所で連結部が切断されることを防止できる。
【００３１】
そして、請求項６の発明は、請求項１から請求項５までのいずれか１項に記載の遊技機の基板ケースにおいて、前記遊技機は、スロットマシンであり、前記制御基板は、役の抽選を含む遊技の進行を制御することを特徴とする。
また、請求項７の発明は、請求項１から請求項５までのいずれか１項に記載の遊技機の基板ケースにおいて、前記遊技機は、弾球遊技機であり、前記制御基板は、抽選を含む遊技の進行を制御することを特徴とする。
【００３２】
（作用）
請求項６の発明においては、基板ケースがスロットマシンに適用される。そのため、役の抽選を含む遊技の進行を制御するスロットマシンの制御基板に対し、不正行為が行われることを効果的に防止できる。
また、請求項７の発明においては、基板ケースが弾球遊技機に適用される。そのため、抽選を含む遊技の進行を制御する弾球遊技機の制御基板に対し、不正行為が行われることを効果的に防止できる。
【発明の効果】
【００３３】
本発明によれば、破断ガイドに注目して目視検査を行えば、正面ケースの連結部が不正に切断されたか否かを容易に発見できる。そのため、背面ケースと正面ケースとからなる基板ケースに収容された制御基板に対し、不正行為が行われることを防止でき、遊技店における被害の発生を効果的にくい止めることができる。
【発明を実施するための最良の形態】
【００３４】
以下、図面を参照して、本発明の一実施形態について説明する。
なお、以下の実施形態では、本発明の遊技機の基板ケース１３０を適用する遊技機として、スロットマシン１０を例に挙げて説明する。そして、本実施形態の基板ケース１３０に収容される制御基板は、役の抽選を含む遊技の進行を制御するメイン制御基板１１０であるとする。
【００３５】
図１は、本実施形態の遊技機の基板ケース１３０を適用したスロットマシン１０を示す前面側の正面図である。
また、図２は、図１中、スロットマシン１０のフロントマスク部１２を開放し、基体部１１の内部が見えるように図示した正面図である。
図１及び図２に示すように、スロットマシン１０の筐体は、基体部１１と、基体部１１の前面側に取り付けられた開閉自在のフロントマスク部１２とから構成されている。
【００３６】
ここで、フロントマスク部１２は、基体部１１の開口面を覆うようにして、基体部１１に開閉自在に取り付けられたものである。そして、図１に示すように、フロントマスク部１２の遊技者側の下方部には、ベットスイッチ４０、スタートスイッチ４１、ストップスイッチ４２、メダル投入口４３、メダル受け皿４４、及びドアキー４５が配置されており、ドアキー４５によってフロントマスク部１２の正面側からフロントマスク部１２を基体部１１に施錠できる。
【００３７】
また、フロントマスク部１２の中央部には、透明窓１３が設けられており、透明窓１３から、基体部１１の内部に設置された図柄変動表示装置３０の各リール３１が透視できるようになっている。この各リール３１は、外周面に、複数の図柄（役を構成する図柄）を印刷したリールテープ（図示せず）がそれぞれ貼り付けられたものであり、リールテープによって２１個の図柄が表示されている。そのため、フロントマスク部１２の透明窓１３からは、個々のリール３１において上下に連続する３つの図柄が見える。すなわち、透明窓１３からは、各リール３１の合計９個の図柄が透視でき、各リール３１の停止時における図柄の組合せラインとなる有効ラインは、水平方向上段、中段、及び下段と、右下がり及び右上がりの斜め方向の各ライン（図１中、２点鎖線部）の合計５本となっている。なお、各リール３１の内周内側には、バックランプ２１ａが取り付けられている。
【００３８】
さらにまた、遊技中における各種の演出が実行できるように、フロントマスク部１２の上方部には、上部ランプ２１ｂと、２つのスピーカー２２と、液晶表示器からなる画像表示装置２３とが配置され、左右両端部には、サイドランプ２１ｃが配置されている。なお、画像表示装置２３に表示される演出画像等は、透明な表示窓２５を通して見ることができる。
【００３９】
一方、基体部１１は、木材等を組み立てて、前面側が開口する中空箱形に構成したものである。そして、基体部１１の内部であって、その下方部には、図２に示すように、電源ユニット１０１と、ホッパータンクに貯留されたメダルを払い出すメダル払出し装置１０２とが設けられている。また、メダル払出し装置１０２の上方部にリールベース１０３が設けられており、このリールベース１０３上に、複数種類の図柄を外周面に表示したリング状のリール３１が３つ並設して固定され、図柄変動表示装置３０を構成している。さらにまた、図柄変動表示装置３０における各リール３１の回転中心部には、ステッピングモータからなるリール駆動モータ（図示せず）がそれぞれ連結されており、リール駆動モータの駆動制御によって各リール３１が個別に回転するようになっている。
【００４０】
また、図柄変動表示装置３０の上方部には、本実施形態の基板ケース１３０が配置されており、基板ケース１３０内にメイン制御基板１１０が収容されている。このメイン制御基板１１０は、役の抽選を含む遊技の進行等の全体を統括制御する制御基板であり、図示はしないが、演算等を行うＣＰＵ、遊技プログラムを記憶したＲＯＭ、遊技用等のデータを一時的に記憶するＲＡＭ等を備えている。
【００４１】
さらにまた、フロントマスク部１２の後面側（裏面側）の上方部には、サブ制御基板１２０が配置されている。このサブ制御基板１２０は、遊技中における演出を制御する基板であって、図１に示すバックランプ２１ａ、上部ランプ２１ｂ、及びサイドランプ２１ｃの点灯又は点滅、２つのスピーカー２２からのサウンドの出力、画像表示装置２３による画像表示等の各種の制御を行うものであり、図示はしないが、演算等を行うＣＰＵ、演出プログラム及び演出用のデータを記憶したＲＯＭ、各種のデータを一時的に記憶するＲＡＭ等を備えている。なお、サブ制御基板１２０は、メイン制御基板１１０の下位に属する基板であり、メイン制御基板１１０とは、図示しないハーネス（電気配線の束）によって電気的に接続されている。そして、メイン制御基板１１０からサブ制御基板１２０に対して演出実行指令等が送信されるようになっている。
【００４２】
このように、スロットマシン１０は、メイン制御基板１１０及びサブ制御基板１２０を備えており、メイン制御基板１１０上に実装されたＣＰＵ、ＲＯＭ、及びＲＡＭ等によってメイン制御手段が構成され、サブ制御基板１２０上に実装されたＣＰＵ、ＲＯＭ、及びＲＡＭ等によってサブ制御手段が構成される。そして、図１に示すベットスイッチ４０、スタートスイッチ４１、及び各ストップスイッチ４２は、メイン制御手段の入力側に接続され、メイン制御手段によって役の抽選、各リール３１の駆動制御、入賞時の払出し等といった遊技の進行が制御される。また、サブ制御手段により、図１に示すバックランプ２１ａ、上部ランプ２１ｂ、サイドランプ２１ｃ、各スピーカー２２、及び画像表示装置２３による演出の出力が制御される。
【００４３】
ここで、図１に示すベットスイッチ４０は、メダル投入口４３からのメダルの投入と同様に、遊技者が貯留メダルを投入するときに操作するスイッチである。また、スタートスイッチ４１は、図柄変動表示装置３０の各リール３１を始動させるときに遊技者が操作するスイッチである。さらにまた、ストップスイッチ４２は、３つのリール３１に対応して３つ設けられ、対応する各リール３１を個別に停止させるときに遊技者が操作するスイッチである。
【００４４】
そして、遊技者がメダル投入口４３からメダルを投入するか、又はベットスイッチ４０を操作することによって貯留メダルを投入すれば、有効ラインが有効化される。次に、遊技者がスタートスイッチ４１を操作すると、そのときに発生する信号がメイン制御手段に入力され、メイン制御手段は、この信号に基づいて、メイン制御手段の出力側に接続されたリール駆動モータを駆動し、全てのリール３１が回転するように制御する。すると、各リール３１が回転し、透明窓１３内において、各リール３１の図柄が所定の速度で上下方向に移動表示されることとなる。
【００４５】
また、メイン制御手段は、スタートスイッチ４１が操作されたときに役の抽選を行い、役の抽選結果の情報をサブ制御手段に送信する。サブ制御手段は、この信号を受信し、役の抽選結果の情報に基づいて、当選役に対応する演出を出力し、サブ制御手段の出力側に接続されたバックランプ２１ａ、上部ランプ２１ｂ、及びサイドランプ２１ｃの点灯又は点滅や、各スピーカー２２からのサウンドの出力、画像表示装置２３による画像表示等を行う。
【００４６】
次に、遊技者によってストップスイッチ４２が操作されると、そのときに発生する信号がメイン制御手段に入力され、メイン制御手段は、リール駆動モータ（図示せず）を制御して、操作されたストップスイッチ４２に対応するリール３１を停止させる。また、メイン制御手段は、ストップスイッチ４２が操作された旨の信号を受信すると、その旨の信号をサブ制御手段に送信する。サブ制御手段は、メイン制御手段から送信された信号を受信し、受信した信号に基づいて、役の当選の可能性を告知等する演出の出力を制御する。
【００４７】
そして、全てのリール３１の停止時に、各リール３１における有効ライン上の図柄の組合せが、予め定められた何らかの役の図柄の組合せと一致し、その役の入賞となったときは、その役に対応する枚数のメダルがクレジットに加算されるか、又はメダル払出し装置１０２によってメダルの払い出しが行われる。
【００４８】
このように、スロットマシン１０は、メイン制御基板１１０（図２参照）上に実装されたＣＰＵ、ＲＯＭ、及びＲＡＭ等によってメイン制御手段が構成され、各リール３１の回転等の制御、役の抽選、メダルの払出し等、遊技の進行の全体が統括制御される。また、サブ制御基板１２０（図２参照）上に実装されたＣＰＵ、ＲＯＭ、及びＲＡＭ等によってサブ制御手段が構成され、遊技中における演出が制御される。
【００４９】
そして、図２に示すように、メイン制御基板１１０上に実装された電子部品（遊技プログラムを記憶したＲＯＭ等）が正規品以外のものに交換されないように、メイン制御基板１１０は、基板ケース１３０内に収容されてメイン制御基板アセンブリとなり、基体部１１の背面側に配置されている。
【００５０】
図３は、本実施形態の遊技機の基板ケース１３０を示す斜視図である。
図３に示すように、基板ケース１３０は、メイン制御基板１１０（図２参照）を収容する背面ケース１５０と、背面ケース１５０の正面側に装着される正面ケース１６０とを備えている。なお、正面ケース１６０及び背面ケース１５０は、ともに透明樹脂からなっており、内部に収容したメイン制御基板１１０を外部から見透かすことができる。
【００５１】
ここで、正面ケース１６０と背面ケース１５０との間は、後述する角形締結部材１８０（図示せず）によって離脱不能に締結されている。そのため、正面ケース１６０は、角形締結部材１８０と嵌まり合う有底筒状の角形正面開口部１６５を有しており、背面ケース１５０は、角形締結部材１８０と嵌まり合う有底筒状の背面開口部１５４（図示せず）を有している。そして、正面ケース１６０と背面ケース１５０とからなる基板ケース１３０は、正面ケース１６０の丸形正面開口部１６６に嵌まり合った丸形締結部材１７０（図示せず）により、基体部１１（図２参照）の背面側に取り付けられた一対のブラケット１４０（図示せず）によって支持され、メイン制御基板アセンブリとなる。
【００５２】
図４は、本実施形態の遊技機の基板ケース１３０を用いたメイン制御基板アセンブリを示す分解斜視図である。
図４に示すように、基板ケース１３０は、正面ケース１６０と背面ケース１５０とから構成されている。そして、ブラケット１４０の正面側に位置する背面ケース１５０にメイン制御基板１１０が収容され、背面ケース１５０の正面側に正面ケース１６０が装着される。
【００５３】
ここで、ブラケット１４０は、基体部１１（図２参照）の背面側に固定されるものであり、第１ブラケット部材１４１及び第２ブラケット部材１４４によって構成される。この第１ブラケット部材１４１は、Ｌ字状の平板部１４２と、平板部１４２の左端部及び下端部で垂直方向に形成されたＬ字状のリブ部１４３とを有している。そして、平板部１４２には、基体部１１との固定ネジ（図示せず）を挿入するためのネジ挿入孔１４２ａが形成され、リブ部１４３の内面側には、嵌合凹部１４３ａが形成されている。
【００５４】
一方、第２ブラケット部材１４４は、Ｌ字状の平板部１４５と、平板部１４５の下端部で垂直方向に形成されたリブ部１４６と、平板部１４５の上端部から突出する保持アーム１４７と、平板部１４５の右端部に形成された支持台部１４８と、支持台部１４８よりも突出する支持突起部１４８ａとを有している。そして、支持台部１４８の内側に、丸形締結部材１７０を嵌め込むためのブラケット開口部１４９が設けられている。なお、ブラケット開口部１４９は、丸形締結部材１７０とのブラケット嵌合凹部１４９ａ（図示せず）を有している。
【００５５】
また、平板部１４５には、基体部１１（図２参照）との固定ネジ（図示せず）を挿入するためのネジ挿入孔１４５ａが形成されている。なお、第１ブラケット部材１４１の平板部１４２と、第２ブラケット部材１４４の平板部１４５とを一体化することにより、第１ブラケット部材１４１及び第２ブラケット部材１４４を一体的なブラケット１４０として形成することもできる。
【００５６】
次に、背面ケース１５０は、正面側が開口する矩形箱状に形成されたケース筐体１５１と、角形締結部材１８０を嵌め込むための背面開口部１５４とから構成されており、ケース筐体１５１は、開口側に、遊技プログラムを記憶したＲＯＭ等の電子部品が実装されたメイン制御基板１１０を収容できるようになっている。そして、ケース筐体１５１の下側壁には、ヒンジ軸１５２が形成され、上側壁には、両端部に、正面側に向けて突出する閉鎖アーム１５３が形成されている。なお、背面開口部１５４は、角形締結部材１８０との背面嵌合凹部１５４ａを有している。
【００５７】
また、正面ケース１６０は、背面ケース１５０のケース筐体１５１と合致するように背面側が開口する矩形箱状のカバー筐体１６１と、このカバー筐体１６１の右側壁から一体的に伸びる矩形枠部１６４と、角形締結部材１８０を嵌め込むための角形正面開口部１６５と、丸形締結部材１７０を嵌め込むために、後述する破断ガイド１６８ａを備える連結部１６８によって支持された丸形正面開口部１６６とから構成されている。なお、角形正面開口部１６５は、角形締結部材１８０との正面嵌合凹部１６５ａを有しており、丸形正面開口部１６６は、丸形締結部材１７０との正面嵌合凹部１６６ａ（図示せず）を有している。
【００５８】
そして、カバー筐体１６１は、メイン制御基板１１０を収容したケース筐体１５１の正面側を密閉するため、下側壁に、ケース筐体１５１に形成されたヒンジ軸１５２に対応するヒンジアーム（図示せず）が形成され、上側壁には、閉鎖アーム１５３に対応する閉鎖突起１６３が形成されている。また、カバー筐体１６１の左側壁には、第１ブラケット部材１４１のリブ部１４３に形成された嵌合凹部１４３ａと対応する嵌合突起（図示せず）が形成され、矩形枠部１６４には、第２ブラケット部材１４４の支持台部１４８から突出する支持突起部１４８ａと対応する嵌合穴１６４ａが形成されている。
【００５９】
このような基板ケース１３０にメイン制御基板１１０を収容してメイン制御基板アセンブリとするには、最初に、背面ケース１５０内にメイン制御基板１１０をネジ止めする。そして、背面ケース１５０の正面側に正面ケース１６０を装着する。この際、カバー筐体１６１のヒンジアーム（図示せず）をケース筐体１５１のヒンジ軸１５２に引っかける。すると、カバー筐体１６１の下側壁がケース筐体１５１の下側壁に回転可能に連結されることとなる。その後、カバー筐体１６１をケース筐体１５１の正面側に重ねれば、ケース筐体１５１の閉鎖アーム１５３が弾性変形してカバー筐体１６１の閉鎖突起１６３に嵌まり込み、カバー筐体１６１の上側壁とケース筐体１５１の上側壁とが連結されて開かなくなる。
【００６０】
ここで、ケース筐体１５１にカバー筐体１６１を装着した状態では、閉鎖アーム１５３が弾性変形して閉鎖突起１６３に嵌まり込んでいるだけである。そのため、各閉鎖アーム１５３を弾性変形させれば、各閉鎖アーム１５３がそれぞれ閉鎖突起１６３から外れるので、ケース筐体１５１に装着されたカバー筐体１６１を簡単に開けることができる。その結果、正面ケース１６０と背面ケース１５０とが分離し、メイン制御基板１１０に実装されたＲＯＭ等を交換することが可能となってしまう。
【００６１】
そこで、背面ケース１５０の背面開口部１５４に角形締結部材１８０を嵌め込むことにより、正面ケース１６０の分離を防止している。すなわち、正面ケース１６０（カバー筐体１６１）を背面ケース１５０（ケース筐体１５１）の正面側に重ねれば、角形締結部材１８０が正面ケース１６０の角形正面開口部１６５に離脱不能に締結されるようにして、メイン制御基板１１０に対する不正行為を防止している。
【００６２】
角形締結部材１８０を背面開口部１５４に嵌め込むには、角形締結部材１８０の拡幅部１８１を背面開口部１５４の背面嵌合凹部１５４ａに下方から挿入する。そして、締結部１８２が突出した状態になるようにして、背面ケース１５０の上側壁まで上方にスライド移動させる。すると、角形締結部材１８０が所定位置まで挿入され、拡幅部１８１が背面ケース１５０の上側壁に当接するとともに、背面開口部１５４からの抜けが防止された状態となる。
【００６３】
その後、カバー筐体１６１をケース筐体１５１の正面側に重ねると、角形締結部材１８０の締結部１８２が正面ケース１６０の角形正面開口部１６５内に挿入される。すると、締結部１８２の締結凸部１８３が締結部１８２の内側に弾性変形し、角形正面開口部１６５内の正面嵌合凹部１６５ａに到達したときに元の突出状態に戻る。そのため、角形正面開口部１６５は、角形締結部材１８０から離脱不能となる。その結果、角形締結部材１８０を介して正面ケース１６０と背面ケース１５０とが離脱不能に締結されるので、メイン制御基板１１０は、正面ケース１６０と背面ケース１５０とから構成される基板ケース１３０内に密閉されることとなる。
【００６４】
続いて、基板ケース１３０をブラケット１４０に取り付ける。すなわち、基板ケース１３０を構成する正面ケース１６０のカバー筐体１６１に形成された嵌合突起（図示せず）を第１ブラケット部材１４１のリブ部１４３に形成された嵌合凹部１４３ａに嵌め込む。そして、矩形枠部１６４を第２ブラケット部材１４４の支持台部１４８に重ねると、矩形枠部１６４に形成された嵌合穴１６４ａ内に支持突起部１４８ａが挿入されるとともに、保持アーム１４７が弾性変形し、リブ部１４６との間に矩形枠部１６４を保持する。そのため、カバー筐体１６１は、第１ブラケット部材１４１と第２ブラケット部材１４４とによって支持されることとなる。
【００６５】
ここで、矩形枠部１６４を第２ブラケット部材１４４に重ねた状態では、保持アーム１４７が弾性変形して矩形枠部１６４を保持しているだけである。そのため、保持アーム１４７を弾性変形させれば、保持アーム１４７が矩形枠部１６４から外れるので、ブラケット１４０からカバー筐体１６１（基板ケース１３０）を簡単に取り外せる。
【００６６】
そこで、カバー筐体１６１（基板ケース１３０）を簡単に取り外せないようにしてメイン制御基板１１０に対する不正行為を防止するために、丸形締結部材１７０を使用している。すなわち、ブラケット１４０のブラケット開口部１４９（図４では、下端のブラケット開口部１４９）に丸形締結部材１７０を嵌め込むとともに、その丸形締結部材１７０に正面ケース１６０の丸形正面開口部１６６を嵌め込むことにより、ブラケット１４０と正面ケース１６０とが離脱不能に締結されるようにしている。
【００６７】
図５は、本実施形態の遊技機の基板ケース１３０を用いたメイン制御基板アセンブリにおけるブラケット１４０のブラケット開口部１４９及び正面ケース１６０の丸形正面開口部１６６を示す断面図である。なお、図５（ａ）に示すブラケット開口部１４９の縦断面は、図４に示すブラケット開口部１４９の垂直方向の断面を示し、図５（ｂ）に示す丸形正面開口部１６６の縦断面は、図４に示す丸形正面開口部１６６の水平方向の断面を示している。
【００６８】
図５（ａ）に示すように、ブラケット開口部１４９は、円筒形状のものであり、その内面に、丸形締結部材１７０（図４参照）とのブラケット嵌合凹部１４９ａが形成されたものである。すなわち、丸形締結部材１７０は、ブラケット嵌合凹部１４９ａに嵌まり込むようになっている。そして、ブラケット開口部１４９には、丸形締結部材１７０のブラケット位置決め突起１４９ｂも形成されている。
【００６９】
また、図５（ｂ）に示すように、丸形正面開口部１６６も、円筒形状のものであり、その内面に、丸形締結部材１７０（図４参照）との正面嵌合凹部１６６ａが形成されたものである。すなわち、丸形締結部材１７０は、正面嵌合凹部１６６ａに嵌まり込むようになっている。そして、丸形正面開口部１６６には、丸形締結部材１７０の固定位置決め突起１６６ｂも形成されている。
【００７０】
図６は、本実施形態の遊技機の基板ケース１３０における丸形締結部材１７０を示す図であり、図６（ａ）は、その斜視図、図６（ｂ）は、その正面図、図６（ｃ）は、その側面の断面図（縦断面図）である。
図６に示すように、丸形締結部材１７０は、図５に示すブラケット開口部１４９及び丸形正面開口部１６６に挿入可能なように、円筒形状となっている。
【００７１】
そして、丸形締結部材１７０の両端側には、仕切り１７４を境として、それぞれ一対のブラケット締結凸部１７１及び正面締結凸部１７２が形成されている。また、丸形締結部材１７０の両端部には、それぞれ一対の位置決め溝１７３が形成されている。なお、各ブラケット締結凸部１７１と各正面締結凸部１７２とは、図６（ｂ）に示すように、丸形締結部材１７０の円周方向に９０°ずれた位置に形成されている。
【００７２】
ここで、各ブラケット締結凸部１７１は、図５（ａ）に示す一対のブラケット嵌合凹部１４９ａと嵌まり合い、各正面締結凸部１７２は、図５（ｂ）に示す一対の正面嵌合凹部１６６ａと嵌まり合うものである。そのため、各ブラケット締結凸部１７１及び各正面締結凸部１７２は、どちらも弾性変形が可能であり、傾斜した凸部分が押されると、円筒形状の締結部材１７０の内面側に曲がって凸部分が平坦となるように引っ込むようになっている。
【００７３】
また、ブラケット締結凸部１７１側の位置決め溝１７３を図５（ａ）に示す一対のブラケット位置決め突起１４９ｂに合わせれば、各ブラケット締結凸部１７１と図５（ａ）に示す一対のブラケット嵌合凹部１４９ａとの位置が合い、正面締結凸部１７２側の位置決め溝１７３を図５（ｂ）に示す一対の固定位置決め突起１６６ｂに合わせれば、各正面締結凸部１７２と図５（ｂ）に示す一対の正面嵌合凹部１６６ａとの位置が合う。
【００７４】
図７は、本実施形態の遊技機の基板ケース１３０とブラケット１４０との締結状態を示す部分断面図である。なお、図７（ａ）は、その締結前の状態を示し、図７（ｂ）は、その締結後の状態を示している。
図７（ａ）に示すように、丸形締結部材１７０の位置決め溝１７３をブラケット開口部１４９内のブラケット位置決め突起１４９ｂに合わせ、ブラケット開口部１４９に丸形締結部材１７０のブラケット締結凸部１７１側を挿入すると、丸形締結部材１７０の各ブラケット締結凸部１７１とブラケット開口部１４９内の各ブラケット嵌合凹部１４９ａとが嵌まり合う。すなわち、丸形締結部材１７０のブラケット締結凸部１７１側がブラケット開口部１４９に挿入されると、各ブラケット締結凸部１７１が一度内側に引っ込むように作用する。そして、各ブラケット締結凸部１７１が各ブラケット嵌合凹部１４９ａの位置まで到達した時点で、引っ込んでいた各ブラケット締結凸部１７１が再び元の状態に戻って各ブラケット嵌合凹部１４９ａに嵌まり込む。そのため、丸形締結部材１７０をブラケット開口部１４９に一度挿入してしまえば、二度と丸形締結部材１７０が抜けなくなる。
【００７５】
次に、ブラケット開口部１４９と対向する丸形正面開口部１６６を丸形締結部材１７０に挿入する。すなわち、図７（ａ）に示すように、ブラケット開口部１４９に嵌め込まれた状態の丸形締結部材１７０に対して、図７（ｂ）に示すように、丸形正面開口部１６６を挿入する。なお、各正面締結凸部１７２の状態が明らかになるように、図７（ｂ）においては、図７（ａ）に示す丸形締結部材１７０をその円周方向に９０°回転させた状態の断面で図示してある。
【００７６】
そして、丸形締結部材１７０の露出した正面締結凸部１７２側に丸形正面開口部１６６を挿入すると、図７（ｂ）に示すように、丸形正面開口部１６６内の固定位置決め突起１６６ｂが丸形締結部材１７０の位置決め溝１７３に嵌まり込むとともに、丸形正面開口部１６６内の各正面嵌合凹部１６６ａと丸形締結部材１７０の各正面締結凸部１７２とが嵌まり合う。すなわち、丸形正面開口部１６６を丸形締結部材１７０の正面締結凸部１７２側に挿入することにより、各正面締結凸部１７２が一度内側に引っ込むように作用する。その後、各正面締結凸部１７２が各正面嵌合凹部１６６ａの位置まで到達した時点で、引っ込んでいた各正面締結凸部１７２が再び元の状態に戻り、各正面嵌合凹部１６６ａに嵌まり込む。そのため、丸形正面開口部１６６を丸形締結部材１７０に一度挿入してしまえば、二度と丸形正面開口部１６６が抜けなくなる。
【００７７】
このように、ブラケット開口部１４９とブラケット締結凸部１７１、丸形正面開口部１６６と正面締結凸部１７２がそれぞれ嵌まり合うことにより、ブラケット開口部１４９と丸形正面開口部１６６とが丸形締結部材１７０を介して離脱不能に締結される。そのため、図４に示す背面ケース１５０と正面ケース１６０とによって構成される基板ケース１３０がブラケット１４０と締結状態になり、メイン制御基板アセンブリとなる。
【００７８】
そして、基板ケース１３０とブラケット１４０とが締結されてしまうと、丸形締結部材１７０は、図７（ｂ）に示すように、ブラケット開口部１４９及び丸形正面開口部１６６の内部に隠れることとなる。そのため、ブラケット嵌合凹部１４９ａと嵌まり合ったブラケット締結凸部１７１や、正面嵌合凹部１６６ａと嵌まり合った正面締結凸部１７２を、ブラケット開口部１４９及び丸形正面開口部１６６の外部から解除することは、基本的に不可能となる。
【００７９】
なお、基板ケース１３０とブラケット１４０とを離脱不能に締結するために、ブラケット１４０の全てのブラケット開口部１４９（正面ケース１６０の全ての丸形正面開口部１６６）に丸形締結部材１７０を嵌め込む必要はない。すなわち、図４に示すように、ブラケット開口部１４９及び丸形正面開口部１６６がそれぞれ４つずつあるのは、メイン制御基板１１０の検査等を考慮して、基板ケース１３０（正面ケース１６０）とブラケット１４０との締結又は分離を４回繰り返して行えるようにしたものである。
【００８０】
例えば、工場から遊技機を出荷する際には、４つのブラケット開口部１４９及び丸形正面開口部１６６の中の一番下側に位置するブラケット開口部１４９及び丸形正面開口部１６６に丸形締結部材１７０を嵌め込み、基板ケース１３０（正面ケース１６０）とブラケット１４０とを締結する。そして、遊技店に遊技機を設置した後、メイン制御基板１１０を検査する場合には、ブラケット１４０から基板ケース１３０（正面ケース１６０）を正当に分離し、基板ケース１３０（正面ケース１６０及び背面ケース１５０）の内部からメイン制御基板１１０を取り出す。
【００８１】
この場合、図４に示すように、正面ケース１６０に丸形正面開口部１６６を支持しているのは連結部１６８なので、この連結部１６８の破断ガイド１６８ａをカッター等の工具を用いて切断し、丸形正面開口部１６６をブラケット１４０側に残したまま、基板ケース１３０（正面ケース１６０及び背面ケース１５０）を分離する。さらに、角形正面開口部１６５の連結部も切断し、角形正面開口部１６５を背面ケース１５０側に残したまま、正面ケース１６０を分離する。
【００８２】
そして、背面ケース１５０からメイン制御基板１１０を取り出して検査を行った後、再び基板ケース１３０（正面ケース１６０及び背面ケース１５０）内にメイン制御基板１１０を収容し、基板ケース１３０（正面ケース１６０）とブラケット１４０との間を丸形締結部材１７０によって離脱不能に締結する。この際、連結部１６８が切断されていない丸形正面開口部１６６と、その丸形正面開口部１６６に対応するブラケット開口部１４９とに丸形締結部材１７０を嵌め込んで締結する。
【００８３】
なお、正面ケース１６０の各丸形正面開口部１６６には、例えば、下からＡ、Ｂ、Ｃ、Ｄと順にアルファベット文字の識別符号が付与されており、その符号が各丸形正面開口部１６６に隣接して、正面ケース１６０の前面に刻印されている。そして、ブラケット１４０から基板ケース１３０を分離してメイン制御基板１１０の検査を行い、再び基板ケース１３０をブラケット１４０に締結した際には、締結した正面ケース１６０の丸形正面開口部１６６（連結部１６８が切断されていない丸形正面開口部１６６）の識別符号、検査日、検査担当者名、検査結果等の検査履歴を正面ケース１６０に貼り付けた検査シートに書き込んで管理する。
【００８４】
図８は、本実施形態の遊技機の基板ケース１３０における正面ケース１６０の丸形正面開口部１６６を示す部分正面図である。
図８に示すように、丸形正面開口部１６６は、連結部１６８を介して正面ケース１６０に支持されている。そのため、丸形締結部材１７０によって丸形正面開口部１６６とブラケット開口部１４９（図４参照）とが締結されると、基板ケース１３０（正面ケース１６０）は、連結部１６８を切断しない限り、ブラケット１４０（図４参照）から分離できなくなる。
【００８５】
ここで、連結部１６８は、図８に示すように、正面視の外形がＸ字状であり、正面ケース１６０の締結方向（図８の紙面に垂直な方向）と直交する方向に凹む部分（Ｘ字状の中央部）が破断ガイド１６８ａとなっている。そして、この破断ガイド１６８ａで連結部１６８を破断させることにより、正面ケース１６０とブラケット１４０（図４参照）とが分離可能となる。したがって、メイン制御基板１１０（図４参照）の検査時等の正当な分離に際しては、カッター等の工具を用いて、連結部１６８の破断ガイド１６８ａを切断すれば良い。
【００８６】
この際、Ｘ字状の連結部１６８は、正面ケース１６０に連なる根元の部分が厚くなっているので、切りにくい場所となっている。また、カッター等の刃先が破断ガイド１６８ａ以外の場所に当たったとしても、Ｘ字状の連結部１６８によってカッターの刃先が破断ガイド１６８ａに導かれる。すなわち、カッター等の刃先が連結部１６８のＸ字状の斜面を滑り、破断ガイド１６８ａに導かれる。さらにまた、破断ガイド１６８ａは、Ｘ字状の中央部で凹んだ部分なので、強度的に一番弱い場所となっている。そのため、連結部１６８は、正面ケース１６０との境目の部分ではなく、自然に、破断ガイド１６８ａで破断するようになる。なお、次に基板ケース１３０（正面ケース１６０）を締結する際は、連結部１６８が破断していない他の丸形正面開口部１６６を使用する。
【００８７】
一方、連結部１６８が不正に切断された場合には、その事実を簡単に発見できる。すなわち、連結部１６８は、正面ケース１６０との境目の切りにくい部分ではなく、破断ガイド１６８ａで破断するようになっているので、不正な切断痕跡は、連結部１６８の根元から離れた破断ガイド１６８ａに残る。そのため、わかりにくい正面ケース１６０と連結部１６８との境目ではなく、図８に示すように、破断ガイド１６８ａに注目すれば、切断痕跡を容易に視認できる。したがって、あるはずのない切断痕跡により、不正の事実を迅速に発見でき、その結果、メイン制御基板１１０（図４参照）に実装されているＲＯＭを正規品以外のものに交換する等の不正行為を防止できるようになる。
【００８８】
以上、本発明の遊技機の基板ケース１３０の一実施形態について説明したが、本発明の遊技機の基板ケース１３０は、上述した実施形態に限定されることなく、例えば、以下のような種々の変形が可能である。
（１）上述した実施形態の遊技機の基板ケース１３０は、遊技機の１つとして、スロットマシン１０に適用した例を示し、基板ケース１３０に収容されるメイン制御基板１１０は、役の抽選を含む遊技の進行を制御するものである。しかし、これに限らず、弾球遊技機に適用し、基板ケース１３０には、抽選を含む遊技の進行を制御する制御基板を収容するようにしても良い。
【００８９】
（２）上述した実施形態では、正面ケース１６０に対して丸形正面開口部１６６を支持する連結部１６８に破断ガイド１６８ａを備え、この破断ガイド１６８ａで丸形正面開口部１６６の連結部１６８を破断させることにより、正面ケース１６０とブラケット１４０とが分離可能となるようにした。しかし、これに限らず、正面ケース１６０に対して角形正面開口部１６５を支持する連結部に破断ガイドを備えるようにし、この破断ガイドで角形正面開口部１６５の連結部を破断させることにより、正面ケース１６０と背面ケース１５０とが分離可能となるようにしても良い。
【図面の簡単な説明】
【００９０】
【図１】本実施形態の遊技機の基板ケースを適用したスロットマシンを示す前面側の正面図である。
【図２】図１中、スロットマシンのフロントマスク部を開放し、基体部の内部が見えるように図示した正面図である。
【図３】本実施形態の遊技機の基板ケースを示す斜視図である。
【図４】本実施形態の遊技機の基板ケースを用いたメイン制御基板アセンブリを示す分解斜視図である。
【図５】本実施形態の遊技機の基板ケースを用いたメイン制御基板アセンブリにおけるブラケットのブラケット開口部及び正面ケースの丸形正面開口部を示す断面図である。
【図６】本実施形態の遊技機の基板ケースにおける丸形締結部材を示す図（斜視図、正面図、側面の断面図）である。
【図７】本実施形態の遊技機の基板ケースとブラケットとの締結状態を示す部分断面図である。
【図８】本実施形態の遊技機の基板ケースにおける正面ケースの丸形正面開口部を示す部分正面図である。
【図９】従来の遊技機の基板ケースを用いたメイン制御基板アセンブリを示す斜視図である。
【図１０】従来の遊技機の基板ケースを用いたメイン制御基板アセンブリを示す分解斜視図である。
【図１１】図１０に示す基板ケースの締結状態を示す部分正面図である。
【符号の説明】
【００９１】
１０  スロットマシン（遊技機）
１１  基体部
１２  フロントマスク部
１３  透明窓
２１ａ  バックランプ
２１ｂ  上部ランプ
２１ｃ  サイドランプ
２２  スピーカー
２３  画像表示装置
２５  表示窓
３０  図柄変動表示装置
３１  リール
４０  ベットスイッチ
４１  スタートスイッチ
４２  ストップスイッチ
４３  メダル投入口
４４  メダル受け皿
４５  ドアキー
１０１  電源ユニット
１０２  メダル払出し装置
１０３  リールベース
１１０  メイン制御基板
１２０  サブ制御基板
１３０  基板ケース
１４０  ブラケット
１４１  第１ブラケット部材
１４２  平板部
１４２ａ  ネジ挿入孔
１４３  リブ部
１４３ａ  嵌合凹部
１４４  第２ブラケット部材
１４５  平板部
１４５ａ  ネジ挿入孔
１４６  リブ部
１４７  保持アーム
１４８  支持台部
１４８ａ  支持突起部
１４９  ブラケット開口部
１４９ａ  ブラケット嵌合凹部
１４９ｂ  ブラケット位置決め突起
１５０  背面ケース
１５１  ケース筐体
１５２  ヒンジ軸
１５３  閉鎖アーム
１５４  背面開口部
１５４ａ  背面嵌合凹部
１６０  正面ケース
１６１  カバー筐体
１６３  閉鎖突起
１６４  矩形枠部
１６４ａ  嵌合穴
１６５  角形正面開口部
１６５ａ  正面嵌合凹部
１６６  丸形正面開口部
１６６ａ  正面嵌合凹部
１６６ｂ  固定位置決め突起
１６８  連結部
１６８ａ  破断ガイド
１７０  丸形締結部材
１７１  ブラケット締結凸部
１７２  正面締結凸部
１７３  位置決め溝
１７４  仕切り
１８０  角形締結部材
１８１  拡幅部
１８２  締結部
１８３  締結凸部
２１０  メイン制御基板
２３０  基板ケース
２４０  ブラケット
２４９  ブラケット開口部
２５０  背面ケース
２５４  背面開口部
２６０  正面ケース
２６０ａ  外縁
２６５，２６６  正面開口部
２６７，２６８  連結部
２７０ａ，２７０ｂ  締結部材
【図１】
2008220472.tif 000003
【図２】
2008220472.tif 000004
【図３】
2008220472.tif 000005
【図４】
2008220472.tif 000006
【図５】
2008220472.tif 000007
【図６】
2008220472.tif 000008
【図７】
2008220472.tif 000009
【図８】
2008220472.tif 000010
【図９】
2008220472.tif 000011
【図１０】
2008220472.tif 000012
【図１１】
2008220472.tif 000013